(57)【要約】  支え板と支持台とが本体に全部収納するようにし、軽い携帯しやすい薄くてスリームな構造の書見台を提供する。  本発明の携帯用書見台は、厚さを持つ板状構造の本体パネルと、前記本体パネルの一面の一側に回動可能に具備され本の下部を支持する支え板と、前記本体パネルの他面に具備され前記本体パネルを傾斜するように支持する支持台とを含み構成される携帯用書見台において、前記本体パネルの一側には一面が窪むとか段差するように構成される支え収納部が具備され、前記支え板は一側が前記支え収納部の一側に回動するように結合され前記支え板の他側を前記本体パネルの方向に折ると前記支え収納部に収納されるように構成され、前記支え収納部の一面の方向にはカバー部が具備され前記支え板が開かれた状態又は前記支え板が折られて前記支え収納部に収納された状態から前記カバー部を閉じると前記支え収納部が遮られるように構成されることができる。
2021522981.tif 000002
【特許請求の範囲】
【請求項１】
厚さを持つ板状構造の本体パネルと、前記本体パネルの一面の一側に回動可能に具備され本の下部を支持する支え板と前記本体パネルの他面に具備され前記本体パネルを傾斜するように支持する支持台とを含み構成される書見台において、
前記本体パネルの一側には支え収納部が具備され、前記支え板は一側が前記支え収納部の一側に回動するように結合され前記支え板の他側を前記本体パネルの方向に折ると前記支え収納部に収納されるように構成され、前記支え収納部の一面の方向にはカバー部が具備され前記支え板が開かれた状態又は前記支え板が折られて前記支え収納部に収納された状態から前記カバー部を閉じると前記支え収納部が遮られるように構成される書見台。
【請求項２】
前記支え板の他側の端部面には本のページを支持する固定金具が具備され前記固定金具を前記支え板に並ぶように折った状態から前記支え板を前記本体パネルの方向に折ると前記支え収納部に収納され、前記支え板を収納した状態から前記カバー部を閉じるように構成される請求項１に記載の書見台。
【請求項３】
前記カバー部は他側が前記支え収納部の他側に回動するように結合され一側は自由端に構成される請求項１に記載の書見台。
【請求項４】
前記支え板を折って収納した状態から前記カバー部を閉じると前記カバー部の一面が前記本体パネルの一面に並ぶようになって閉じられるように構成される請求項３に記載の書見台。
【請求項５】
前記カバー部は前記支え板を広げた状態から前記カバー部を閉じると前記カバー部の一端が前記支え板の他面に対面しながら前記支え収納部を隠すように構成される請求項４に記載の書見台。
【請求項６】
前記支え板の一側の方向には支えホールが具備され前記支え板が開かれた状態から前記カバー部を閉じると前記カバー部の一部が前記支えホールを通じて露出するように構成される請求項１に記載の書見台。
【請求項７】
前記支え収納部の底面に前記支えホールに対応した位置にはカバー支持部が具備され前記支え板を開閉するとき前記カバー支持部が前記支えホールを通過するように構成され前記カバー部を閉じると前記カバー支持部が前記カバー部の内面を支持するように構成される請求項６に記載の書見台。
【請求項８】
前記カバー支持部は前記支え収納部の底面に具備される第１カバー支持部と前記第１カバー支持部に対応する位置のカバー部に具備される第２カバー支持部とに構成される請求項７に記載の書見台。
【請求項９】
前記本体パネルの一端は後面から全面の方向に折曲された支持端が形成されていて、前記支持端には外側の方向に丸いラウンド構造の第１ガイド面が延長されるように形成されていて、
前記支え板の一端には内側面が外側の方向に丸いラウンド構造の第２ガイド面が形成され前記第２ガイド面は内側面が前記第１ガイド面の外側面に対応するように構成され前記支え板を広げると前記第２ガイド面の内側面が前記第１ガイド面の外側面に沿って滑り移動し前記第２ガイド面の端部が前記支持端に当接するように回動する請求項１に記載の携帯用書見台。
【請求項１０】
前記本体パネルの他面には支持台収納部が具備され、前記支持台は一側が前記支持台収納部の一側に回動可能に結合され内側面には複数の掛け手段が具備され、前記支持台の内側に前記支持台収納部には調節脚の一側が回動可能に結合されるように具備され前記調節脚の他側を本体パネルの方向に折ると前記支持台収納部の内側に収納されるように構成され前記調節脚を収納した状態から前記支持台を本体パネルの方向に折ると前記支持台の他面が前記本体パネルの他面に並ぶように前記支持台収納部に収納されながら折られるように構成される請求項１に記載の携帯用書見台。
【発明の詳細な説明】
【技術分野】
【０００１】
本発明は携帯用書見台に関し、特に支え板と支持台とが本体に全部収納するようにし、軽い携帯しやすい薄くてスリームな構造の書見台に関する。
【背景技術】
【０００２】
書見台は本を載せて読書するとき使う文具用品の一種である。書見台は正しい姿勢で読書ができるようにし疲労感を低減するため既に昔から使用している。
【０００３】
最近には図書館やカフェなどで読書をする人口が増え続くことにより書見台を携帯する場合も増えている。しかしながら従来に使用された書見台は大部木材で作られているため重い短所があった。なお、大部分の書見台は支え板と支持台とを本体に密着させて折る構造になり、前記支え板と支持台とが本体から突き出される形態に折られるためカバンに収納することが難しい問題があった。
【０００４】
最近にこのような問題を解決するための多様な形態の携帯用書見台が紹介されている。しかし携帯用書見台の中に一部は携帯性を強調し過ぎ耐久性に問題があり、一部は携帯性を向上するため書見台の本然の機能を一部諦めた場合もある。特に、支え板に結合されている固定金具はその有用性に因って既に昔から使用されてきたのに、携帯用書見台の場合にこのような機能を一部諦めた場合が多かった。また、携帯性ばかり強調し過ぎ小型化しながら耐久性に問題が発生する場合も多かった。
【先行技術文献】
【特許文献】
【０００５】
【特許文献１】大韓民国登録実用新案第０４７２６７３号公報
【発明の概要】
【発明が解決しようとする課題】
【０００６】
本発明は前記のような課題を解決するためのものであり、支え板と支持台とが 本体内に全部収納され折られるようにし書見台を折ったら外部に突出する構成のないスリームな構造の書見台を提供することを目的とする。
【課題を解決するための手段】
【０００７】
前記の課題を解決するための技術的手段としての本発明は、厚さを持つ板状構造の本体パネルと、前記本体パネルの一面の一側に回動可能に具備され本の下部を支持する支え板と、前記本体パネルの他面に具備され前記本体パネルを傾斜するように支持する支持台とを含み構成される携帯用書見台において、前記本体パネルの一側には支え収納部が具備され、前記支え板は一側が前記支え収納部の一側の内部に回動するように結合され前記支え板の他側を前記本体パネルの方向に折ると前記支え板の全部が前記支え収納部に収納されるように構成され、前記支え収納部の一面の方向の上部にはカバー部が具備され前記支え板が収納された状態から前記カバー部を閉じると前記カバー部の一面が前記本体パネルの一面に並ぶようにされながら前記支え板が収納された支え収納部が遮られるように構成され前記支え板を広げた状態から前記カバー部を閉じると前記カバー部が前記支え収納部を隠すように構成されることができる。
【発明の効果】
【０００８】
本発明にかかる携帯用書見台は支え板と支持台とが本体内に全部収納されることができるため本やその他の携帯品と一緒にガバンに入れても収納が不便であるか支え板と支持台とが他の物品に掛けない利点がある。また、従来からその有用性が立証された固定金具や支え板の構成を全部そのまま維持したので使用上不便さをかけることもない携帯性を向上した利点がある。
【図面の簡単な説明】
【０００９】
【図１】本発明にかかる携帯用書見台の折られた状態の斜視図である。
【図２】本発明にかかる携帯用書見台の分解斜視図である。
【図３】支え板が折られた状態の側断面図である。
【図４】支え板が開かれた状態の側断面図である。
【図５】カバー部が開放された状態を図示した斜視図である。
【図６】支え板が開かれた状態を図示した斜視図である。
【図７】支え板が開かれた状態からカバー部を閉じた状態を図示した図面である。
【図８】支え板を開いた状態を図示した斜視図である。
【図９】本発明にかかる携帯用書見台の後面を図示する斜視図である。
【図１０】支持台を開いた状態を図示した斜視図である。
【図１１】調節脚を開いた状態を図示した斜視図である。
【発明を実施するための形態】
【００１０】
以下、本発明の望ましい実施例を添付図面を参照し詳細に説明する。
【００１１】
図１は本発明にかかる携帯用書見台の折られた状態の斜視図であり、図２は本発明にかかる携帯用書見台の分解斜視図であり、図３は支え板が折られた状態の側断面図であり、図４は支え板が開かれた状態の側断面図であり、図５はカバー部が開放された状態を図示した斜視図であり、図６は支え板が開かれた状態を図示した斜視図であり、図７は支え板が開かれた状態からカバー部を閉じた状態を図示した図面であり、図８は支え板を開いた状態を図示した斜視図であり、図９は本発明にかかる携帯用書見台の後面を図示する斜視図であり、図１０は支持台を開いた状態を図示した斜視図であり、図１１は調節脚を開いた状態を図示した斜視図である。
【００１２】
図面を参照すれば、本発明にかかる携帯用書見台は一定な厚さを持つ板状の構造を持つ本体パネル１００と、前記本体パネル１００の一面の一側に回動可能に具備され載せられる本の下部を支持する支え板２００と、前記本体パネル１００の他面に具備され前記本体パネル１００を傾斜するように支持する支持台３００とを含み構成される。
【００１３】
本体パネル１００の一側（図２の下部）には一面が窪むとか段差するように構成される支え収納部１１０が形成されている。 支え収納部１１０は後術時説明する支え板２００とカバー部１３０とが重ねて本体パネル１００に対し平面になるように収納できる深さに構成される。
【００１４】
支え板２００は一側が支え収納部１１０の一側に回動するように結合され他側は自由端に構成される。支え板２００は本体パネル１００に対し垂直方向まで回動できるように構成される。そして支え板２００の他側を本体パネル１００の方向に折ると支え収納部１１０に収納され、前記支え板２００の他側を本体パネル１００の外に向かって開くと前記本体パネル１００に対し垂直方向を成しながら本の下部を支持できるように構成される。支え板２００が本体パネル１００に対し垂直方向に開かれる構造に関しては後術時説明する。
【００１５】
支え板２００の他側の端部面には一対の固定金具２１０が具備される。固定金具２１０は公知の多様な形態が適用されることができ、本発明の望ましい実施例として前記固定金具２１０は図面に図示したような板スプリングの構造が適用できる。
板スプリング構造の固定金具２１０は折曲金具の形態にした高弾力性の金属板に構成され一側が支え板２００の他側の側面にボルトなどで回動可能に固定される。固定金具２１０は公知の構成でありこれに対する詳細な説明は省略する。
【００１６】
支え収納部１１０の一面方向（本体パネル１００の前面方向）の上部にはカバー部１３０が具備される。 そして支え板２００が折られて支え収納部１１０に収納された状態からカバー部１３０を閉じると前記支え板２００の全部または一部が前記カバー部１３０によって隠されるように構成される。カバー部１３０は最小限支え板２００に具備された固定金具２１０を全部隠すようにする。そしてカバー部１３０を閉じると本体パネル１００の前面に形成された支え収納部１１０が全部かくされるようにして綺麗な外観を具現できることは勿論、支え板２００の固定金具２１０が外部に露出されたり外部に突出されることが防止できる。支え板２００が支え収納部１１０に収納された状態からカバー部１３０を閉じると前記カバー部１３０の一面が本体パネル１００の一面に並ぶようにし平面になるようにすることが望ましい。
【００１７】
本発明の一つの実施例として、カバー部１３０は他側が支え収納部１１０の他側に回動可能に具備され、一側は自由端に構成される。そしてカバー部１３０は支え板２００を広げた状態から前記カバー部１３０を閉じると他端が支え板２００の他面に対面しながら支え収納部１１０の全部を隠すようにすることが望ましい（図４参照）。そして支え板２００を収納した状態からカバー部１３０を閉じると前記カバー部１３０の一面が本体パネル１００に並ぶように（平面になるように）しながら他側は支え板２００の他側に並ぶように構成する（図１及び図３参照）。この時、支え板２００の他側も本体パネル１００に並ぶようにし前記支え板２００を収納した状態からカバー部１３０を閉じると本体パネル１００とカバー部１３０及び支え板２００が全部平面になるようにすることが望ましい。
【００１８】
本発明にかかる携帯用書見台は支え板２００の一側方向に支えホール２３０が具備されることができる。支えホール２３０は支え板２００の一側の方向の一部が貫通されるように形成される。そして支え板２００を広げた状態からカバー部１３０を閉じると前記支え板２００に対面しているカバー部１３０の一端が前記支えホール２３０を通じて一部が露出するように構成される。具体的には支えホール２３０の中央の部分にカバー部１３０の一端が位置されるようにし、前記支えホール２３０は前記カバー部１３０を基準として一側と他側とに一定な空間を持つように延長された形態になるようにする。そして支えホール２３０を通じてカバー部１３０の下部空間に指を入れて前記カバー部１３０を持ち上げるようにする。
【００１９】
カバー部１３０は本体パネル１００に並ぶように平面になる。従って支え板２００を広げた状態からカバー部１３０を閉じると前記カバー部１３０が支え収納部１１０に挿入されながら本体パネル１００に対し平面になるため前記カバー部１３０を再び開かれることが難しい。従って支え板２００に支えホール２３０を形成し前記支えホール２３０に指を入れてカバー部１３０を持ち上げるようにすることにより綺麗な外観を具現することは勿論カバー部１３０を容易に開放することができる。また、支えホール２３０はスマートフォンやタブレットパソコンなどの充電ケーブルを通過させ書見台の上にスマートフォンやタブレットパソコンなどを載せて使うとき充電しながら使用することもできる。
【００２０】
支え収納部１１０の底面には垂直方向に突出されたカバー支持部１５０が具備される。カバー支持部１５０は前述の支えホール２３０に対応する位置に具備される。そして支え板２００を折って支え収納部１１０に収納したり支え板２００を開かれるとき前記カバー支持部１５０が前記支えホール２３０の内側に位置し干渉されないようにする。
【００２１】
また、支え板２００を広げた状態からカバー部１３０を閉じると前記カバー部１３０の内側面がカバー支持部１５０により支持されることもできる。カバー部１３０は支え収納部１１０の上部に具備され前記カバー部１３０の内側（閉じられた状態の下部）が支持されないと支え収納部１１０の内側に収納されてしまう問題がある。支え板２００が支え収納部１１０に収納された状態からはカバー部１３０が支え板２００の上で重ねてから閉じられるためどのような問題が発生しないが支え板２００が開かれて支え収納部１１０が空いた状態からカバー部１３０を閉じると前記カバー部１３０の一側の方向が支え収納部１１０の内側に収納されてしまうことになる。しかしながら支え板２００の一側の方向に形成されている支えホール２３０に対応する位置にカバー支持部１５０を具備し前記支え板２００が開かれた状態からカバー部１３０を閉じると前記カバー部１３０の一側が前記カバー支持部１５０により支持されながら本体パネル１００に対し平面を維持できる。
【００２２】
カバー支持部１５０はカバー部１３０が閉じられた状態から支え収納部１１０の底面とカバー部１３０の内側面の間の距離に対応するように構成される。この時、カバー支持部１５０は必ず支え収納部１１０の底面からカバー部１３０の下部まで突出されるように一体に構成する必要はない、必要によっては支え収納部１１０の底面に具備される第１カバー支持部１５３と前記第１カバー支持部１５３とに対応する位置のカバー部１３０に具備される第２カバー支持部１５５から構成されることができる。そして第１カバー支持部１５３と第２カバー支持部１５５との和が支え収納部１１０の底面からカバー部１３０の内側面までの距離に対応するようにすることができる（図３参照）。このようにカバー支持部１５０を分割すれば支え板２００が回動するとき干渉される領域も減ることになり、一つに長く形成された構造より耐久性も向上することになる。
【００２３】
本発明の一つの実施例としてカバー支持部１５０の上端とカバー部１３０の内側とは磁石で付着されるようにすることができる。即ち、カバー支持部１５０又は前記カバー支持部１５０に対応する位置のカバー部１３０中どの一側に磁石を具備し、他の一側には反対になる磁極を持つ磁石や金属を具備しお互い付着するようにすることができる。また、前述のようにカバー支持部１５０が第１カバー支持部１５３と第２カバー支持部１５５とに分割されるように構成される場合には第１カバー支持部１５３の末端と第２カバー支持部１５５の末端が磁石により付着されるようにすることができる。カバー部１３０は支え板２００が開かれ書見台に使うときや支え板２００が収納されたとき常に閉じられた状態を維持することになる。そして支え板２００を広げたり折る動作をするときは開閉しやすくならなければならない。従ってカバー部１３０とカバー支持部１５０とが磁石により付着されると適切な支持力を持ちながら前記カバー部１３０が閉じられた状態を維持し一定な外力が加わると易く開くことができる構造になる。
【００２４】
図３及び図４を参照し本発明にかかる携帯用書見台の支え板２００の駆動する構造を察すると、本体パネル１００の一端には後面から全面の方向に折曲された支持端１７０が形成されている。そして支持端１７０には外側面が一側の方向に丸くラウンド構造を持つ第１ガイド面１９０が延長するように形成されている。そして支え板２００の一端には内側面が一側の方向に丸いラウンド構造の第２ガイド面２５０が形成されている。第２ガイド面２５０は内側面が前記第１ガイド面１９０の外側面に対応する大きさと形状とに構成される。そして支え板２００を広げると第２ガイド面２５０の内側面が第１ガイド面１９０の外側面に沿って滑り移動し、前記支え板２００が垂直方向に達すると前記第２ガイド面２５０の端部が第１ガイド面１９０の始め点に設けられた支持端１７０に当接しながら止まることになる。支持端１７０と第１及び第２ガイド面１９０、２５０とは支え板２００の横方向の前面に具備され支持力を向上できることは勿論一側に端部面にラウンドするように詰まった構造になり綺麗な外観の具現もできる。
【００２５】
図１、図５乃至図８を参照すれば、本発明にかかる携帯用書見台は書見台を使用しないときには支え板２００を折って支え収納部１１０に収納した後カバー部１３０を閉じて保管したり携帯することができる。そして書見台を使用するときにはカバー部１３０を開いて（図５）、支え板２００を広げた後（図６）、再びカバー部１３０を閉じ支え収納部１１０が遮られるようにする（図７、図８）。
【００２６】
従来技術にかかる書見台の中にも支え板が本体パネルに収納される形態が開示されている。しかしながら大部分の書見台は支え台に本のページを支持するための固定金具２１０が具備されているため従来技術にかかる支え板の収納型書見台は支え板を収納しても固定金具と前記固定金具との周辺の空間がそのまま露出される構造になる。このような構造は綺麗な外観の具現ができず固定金具が水平方向に回転し本体パネルの外側から突出する恐れもある。固定金具２１０はその機能上水平方向に比較的に易く回転しなければならない、支え板２００の上に並ぶように折られた場合には弾性力により支持される。しかし固定金具２１０は時間の経過により弾性力が弱くなったり固定ボルトなどが緩んで水平方向に易く回転することになってしまう。従って本願発明のようにカバー部１３０がない場合には外力により固定金具２１０が本体パネル１００の外側に易く突出することができる。書見台はガバンに入れて本と一緒に携帯することが多い、前述のように固定金具２１０が外側に突出されると前記固定金具２１０に周辺の本などが掛けられ損傷されたり都合により固定金具２１０に因って手に怪我をする状況に合う恐れもある。また、突出した固定金具２１０が外部の他のものに掛けられ弾性変形の限度以上に曲がると永久的に変形され本のページを支持する機能を失うことになる。しかし本願発明のように支え板２００を収納した状態からカバー部１３０を閉じると前記固定金具２１０が外部から突出しないため前述の問題は発生しないことになる。
【００２７】
一方、支え板２００を広げ書見台に使用するときにも従来の支え板２００の収納式書見台は支え収納部１１０がそのまま露出されることになる。このように支え収納部１１０が露出されると外観上望ましくないだけではなく機能的な側面から見ても色んな問題点が発生することになる。例え、書見台を使用するとき前記書見台の支え板２００の上には筆記具のような学用品を載せたりスマートフォン又はタブレットパソコンなどを載せて使用する場合も多い。都合によりはＡ４用紙のような薄い文書を載せて使用する場合もある。しかし支え板２００の上に支え収納部１１０のような窪んだ構造が露出された状態のままあると筆記具が支え収納部に入ってしまいスマートフォンなどを載せて使用することにも多い不便さがあった。
【００２８】
例え、書見台の中で最も小型の書見台の一般的なサイズは横方向の長さが２７０ｍｍであり、支え板２００の縦方向の長さは普通３５乃至４５ｍｍ程度に構成される。支え収納部１１０に支え板２００と固定金具２１０とが一緒に収納されるためには前記支え収納部１１０の縦方向の長さが最小限５０ｍｍ内外にならなければならない。そしてスマートフォンのサイズはその種類により多少差があるが最も普遍的なサイズは短い縁の長さは７０ｍｍ内外になり、長い縁の長さは１４０ｍｍ内外になる。そして事務用文書として主に使用されるＡ４用紙は横方向が２１０ｍｍである。従ってスマートフォンと事務用文書などは全部支え収納部１１０の横の幅とり短い。
【００２９】
一般的に使用者がスマートフォンを利用し動画を見るとき主に長い縁を横方向に置いて見って、支え収納部１１０が露出された書見台で横方向にスマートフォンを載せると横方向の全部と縦方向の２／３とが前記支え収納部１１０の上に位置することになる。従って支え収納部１１０の上でスマートフォンの画面をタッチすると前記スマートフォンが安定的に支持できないため正常的なタッチの操作が難しいことになる。そしてＡ４用紙を縦方向に立てて書見台の上に載せるときにも下部が均一に支持あれることができず一部が曲げられ支え収納部１１０の内側に押し寄せることになるだろう。しかしながら本願発明は支え板２００が開かれた後にもカバー部１３０が支え収納部１１０を隠して通常の書見台と同一に本体パネル１００の前面が全部平らな外観を形成することになる。従ってスマートフォンやタブレットパソコンをしようすることに何の不便がない、その他の支え収納部１１０より小さいサイズのものを支え板２００の上に載せ置いても何の問題も発生しない。
【００３０】
また、従来の支え板収納型書見台の場合にカバー部１３０がないため前記支え板２００を広げると支え収納部１１０が露出され前記支え収納部１１０の内部に異物の流入がし易い。例え、書見台の上で本を載せ消しゴムを使うと前記消しゴムの端くれが支え収納部１１０の内部に流入され支え板２００のヒンジ部に詰み込むことになる。このように支え板２００のヒンジ部に異物が流入すると前記支え板２００の回動に邪魔になる問題が発生する。支え板２００の回動部位（ヒンジ部）は支え収納部１１０の内側に位置するため使用者が異物を除去し難い構造である。しかしながら本願発明のように書見台として使うときにもカバー部１３０が支え収納部１１０を完全に遮ってくれると前記支え収納部１１０に異物が流入しないようになる（図８参照）。
【００３１】
図９乃至１１を参照すれば、本発明にかかる携帯用書見台は本体パネル１００の他面（後面）に支持台収納部３１０が具備され前記支持台収納部３１０には支持台３００が具備される。支持台収納部３１０は本体パネル１００の他面が窪む構造に形成される。支持台収納部３１０は前述の支え収納部１１０とは重ならないように構成されることが望ましい。これは本体パネル１００の厚さを減るための構成であり前記本体パネル１００の厚さが支え収納部１１０と支持台収納部３１０とを同時に収容できる厚さであると重ねるように構成できることは勿論である。支持台３００は一側が支持台収納部３１０の一側に回動可能に結合され内側面（折られた状態での内側面をいう）には複数の掛け突起３３０が具備されている。そして支持台３００の内側（折られた状態の内側をいう）に前記支持台収納部３１０には調節脚３５０が更に具備される。調節脚３５０は一側が支持台収納部３１０に回動可能に結合され他側の方向を本体パネル１００の方向に折ると全体が前記支持台収納部３１０の内側に収納されるように構成される。そして調節脚３５０を折って支持台収納部３１０に収納し、支持台３００を折って支持台収納部３１０に収納すると前記支持台３００が調節脚３５０を覆いながら前記支持台３００と調節脚３５０とが全部前記支持台収納部３１０に収納される。この時、支持台３００は支持台収納部３１０の形状に対応する形状に構成し前記支持台３００を支持台収納部３１０に収納すると前記支持台収納部３１０が遮られるようにすることが望ましい。また、支持台３００を支持台収納部３１０に収納すると前記支持台３００の他面が本体パネル１００の他面に並ぶように（平面になるように）し綺麗な外観を具現できるようにする。
【００３２】
支持台３００の一面（内側面）には掛け突起３３０が一定な間隔に形成され前記掛け突起３３０に調節脚３５０の他端が選択的に掛けられながら書見台の傾斜角を調節できるようにする。
掛け突起３３０は支持台３００を支持及び固定できる構造であれば公知の多様な形状や構造が適用できる。本発明の一つの実施例として掛け突起３３０は図面に図示したように一定な幅の手鉤の形状に構成され、調節脚３５０の他端には前記掛け突起３３０に挿入される調節結合部が具備されるようにすることができる。この時調節結合部と掛け突起３３０とは多少強引な嵌め込み方式に結合されるようにすることができる。
【００３３】
このように、本発明の詳細な説明では具体的な実施例に関し説明したが、本発明の範疇から外れない限度内では色んな変形が可能であることは勿論であるだろう。よって本発明の範囲は説明された実施例に局限され決まってはいけない、後術の特許請求範囲だけではない請求範囲と均等なものたちにより決まらなければならない。
【符号の説明】
【００３４】
１００：本体パネル
１１０：支え収納部
１３０：カバー部
１５０：カバー支持部
１５３：第１カバー支持部
１５５：第２カバー支持部
１７０：支持端
１９０：第１ガイド面
２００：支え板
２１０：固定金具
２３０：支えホール
２５０：第２ガイド面
３００：支持台
３１０：支持台収納部
３３０：掛け突起
３５０：調節脚
【図１】
2021522981.tif 000003
【図２】
2021522981.tif 000004
【図３】
2021522981.tif 000005
【図４】
2021522981.tif 000006
【図５】
2021522981.tif 000007
【図６】
2021522981.tif 000008
【図７】
2021522981.tif 000009
【図８】
2021522981.tif 000010
【図９】
2021522981.tif 000011
【図１０】
2021522981.tif 000012
【図１１】
2021522981.tif 000013
【国際調査報告】
2021522981.tif 000014
2021522981.tif 000015
2021522981.tif 000016
2021522981.tif 000017